(57)【要約】  写真又はその他の薄い物を見せるために少なくとも一つの窓が形成されている写真及び同様の収集物のためのアルバム。
2007529346.tif 000002
【特許請求の範囲】
【請求項１】
写真用アルバムであって、そのアルバムは少なくとも一つのカバーを有し、そのカバーには少なくとも一つの窓開口部が形成されており、その窓が、アルバムのカバーの内側から窓開口部に挿入されている断面がＬ形状を有する窓枠取り付け基板と、その窓枠取り付け基板と係合するように、そのカバーの外側から窓開口部に挿入されていて、その窓枠取り付け基板の形状に関して逆に配置された断面Ｌ形状を有する窓枠カバーとから形成されており、そのことにより、窓枠の外側に面した部分が窓枠取り付け基板の露出した端部を覆っている、写真用アルバム。
【請求項２】
窓枠カバーが、その窓枠カバーの下方に向けられた脚部に形成された少なくとも一つの歯を具備することを特徴とする、請求項１に記載されたアルバム。
【請求項３】
アルバムは、更に窓枠取り付け基板の上方に向けられた脚部に設けられた係合する構造部材を含み、その構造部材は窓間枠カバーとスナップ嵌合するサイズと位置になっている請求項１に記載されたアルバム。
【請求項４】
係合する構造部材は少なくとも一つの別体からなるタブである請求項３に記載されたアルバム。
【請求項５】
窓が形成されているアルバムカバーは、そのアルバムカバー内に位置する内部基板カードを具備し、その内部基板カードには写真に無害な材質で形成された下部層と透明又は半透明の上部層とを具備するポケットが取り付けられており、それらの下部層及び上部層は３辺で結合されており、４番目の辺は、写真又はその他の物を挿入したり取り出したりできるように開けられている請求項１に記載されたアルバム。
【請求項６】
カバーのポケットが内部基板カードに永久的に取り付けられており、且つアルバムのフロントカバー全体が組み立てられた際にはポケットの内容をフロントカバーの窓を通して見ることが出来るように配置されている請求項５に記載されたアルバム。
【請求項７】
窓開口部の形状が、矩形、ハート型、楕円形、円形、正方形、三角形、及び花形の内の一つである、請求項１に記載されたアルバム。
【請求項８】
ａ) 窓開口部を具備する少なくとも一つのアルバムカバー：
ｂ）窓開口部を囲み、下記i)、ii)を具備する窓枠：
i）アルバムカバーの内側から窓開口部に挿入された、断面L形状の取り付け基板；及び
ii）窓枠取り付け基板とうまく合うようにアルバムカバーの外側から窓開口部に挿入された、断面L形状の窓枠カバー；
を有し、これらの各々のＬ形状は、窓枠取り付け基板の露出した端部を覆うように、相互に逆に配置されている写真用アルバム。
【請求項９】
取り付け基板と窓枠カバーがお互いにスナップ嵌合している、請求項８に記載されたアルバム。
【請求項１０】
アルバムは、更にポケットを具備しており、そのポケットは写真に安全な下部部材と透明又は半透明の上部部材から成っており、それら上下部材は、物を挿入したり取り出したりできるように、多くとも３辺で結合されている、請求項８に記載されたアルバム。
【請求項１１】
窓開口部の形状が、矩形、ハート型、楕円形、円形、正方形、三角形、及び花形の内の一つである、請求項８に記載されたアルバム。
【発明の詳細な説明】
【技術分野】
【０００１】
関連する出願
本願は、２００４年３月１６日付け米国特許仮出願６０/５５４，０００号、及び２００４年３月３１日付け米国特許仮出願６０/５５８,４４２を基礎出願とするものである。
この出願は写真及び同様の収集品のためのアルバムに関するものである。
【背景技術】
【０００２】
あるタイプの高品質のルーズリーフアルバムは、写真又は同様の記録物のための交換可能な複数の用紙を包む二枚のカバーを有しており、そのカバーと用紙とは、用紙から突出した蝶番部材とカバーの内側に取り付けられた保持具に紐を通して縛り付けられている。そのカバー保持具は紐の端部を摩擦により保持している。例えば、米国特許５，８４８，８５１号（グナセケラ）を参照されたい。
【発明の開示】
【発明が解決しようとする課題】
【０００３】
発明の要約
本発明は、写真又はその他の薄い物を見せるために少なくとも一つの窓が形成されているカバーを有する写真及び同様な収集物のためのアルバムに関するものである。見せるための物はポケットに保持され、そのポケットはその周囲の３辺が下部の部材（好ましくは紙）に接着または取り付けられている上部の透明の重合体材料により形成されており、その下部部材はカバーの内部基板カード層に完全に貼り付けられている。カバーの枠付切抜きは、カバーの材料の厚さに応じてカバーの凹所に位置する対象物を見せるようになっている。
【０００４】
特に、本発明は、少なくとも一つのカバーを有し、そのカバーには少なくとも一つの窓開口部が形成されており、その窓が、カバーの内側から窓開口部に挿入されていて、断面がＬ形状の窓枠取り付け基板により形成されている、写真用のアルバムに関するものである。そのアルバムは、更に窓枠取り付け基板とは断面が逆のＬ形状の窓枠カバーを有するアルバムに関するものである。その窓わくカバーはカバーの外側から開口部に挿入されており、窓枠取り付け基板と係合しており、そのことにより窓枠の外部に面した部分が窓枠取り付け基板の露出した端部をカバーしている。このようにして、アルバムをカバーの外側から見るような通常の使用においては、たとえ斜めから見たとしても、継ぎ目が全く見えない。
【課題を解決するための手段】
【０００５】
図面の簡単な説明
添付した図面は特定の実施形態を示すものであり、本発明の範囲を限定するものではない。特に、図面上の寸法は好ましいものであるが、請求の範囲で特に述べられているものを除いて必要とするものではない。寸法は発明の構成部品の寸法比の指標に過ぎず、構成部品が相互にどのように関連しているか、またはある場合にはどのように嵌合しているかを示すものである。
【発明の効果】
【０００６】
詳細な説明
一般に、この発明は米国特許第５，８４８，８５１号（Ｇｕｎａｓｅｋｅｒａ）に開示され、特許請求の範囲に記載された写真アルバムの改良にかかるものである。米国特許第５，８４８，８５１号の内容全てが参照により組み込まれている。以下、特に限定しない限り、本発明の構成はＧｕｎａｓｅｋｅｒａ特許に記載されている。
【０００７】
本発明は更にアルバムのフロントカバー及びバックカバーの内一つまたは双方の材料で形成されている窓を含む。窓の位置は本発明の範囲にとって重要でない。しかし、美的理由から窓をフロントカバーの水平方向、垂直方向双方の中央に設けることが好ましい。窓の形状は発明の範囲にとって重要ではない。しかし、矩形であることが好ましい。窓の方位は本発明の範囲にとって重要ではない。しかし、風景をバックにした人物であることが好ましい。窓のサイズは本発明の範囲にとって重要ではない。しかし、幅（アルバムの背部を含まない）が約１２インチで、高さが約１２．５インチのフロントカバーの中央に設けられた好ましい矩形の人物用窓にとっては、内部寸法が高さ５.５インチ、幅３.５インチの窓が好ましい。
【０００８】
窓枠のサイズは本発明の範囲にとって重要ではない。しかし、前述した特に好ましい矩形の人物用窓にとっては、全ての見える外側では約１６分の７インチの窓枠が好ましい。窓枠の深さは本発明の範囲にとって重要ではない。そして、得ることのできるカバー自体の厚さにより支配される。しかし、前述の特に好ましい矩形の人物用窓にとっては、約４分の１インチの窓の厚さが好ましい。窓の厚さは後述するように、好ましくはＬ型状フレームの一つの脚部により作られ、同じ材料で構成される一つの部品であるので、アルバムの外側から見ても、縫い目も継ぎ目も見えない。窓枠の仕上げは本発明の範囲にとって重要ではない。しかし、ダークカラーのアルバムにとっては、光沢のある銀仕上げが好ましい。
【発明を実施するための最良の形態】
【０００９】
図１は、フロントカバー１、フロントカバーに位置する窓枠２、バックカバー、及びフレキシブルな背部３それぞれの外側を一目で示せるよう開いて平坦にして置かれたアルバムカバーの正面図である。フロントカバー１、バックカバー３、及びフレキシブルな背部４は、フレキシブルな背部４のそれぞれ反対側の端部をフロントカバー１及びバックカバー３の内部に挿入することにより一つのアルバムを組み立てている別々の部品である。
【００１０】
図２はフロントカバー部分、特にフロントカバーの内部に在る内部基板カード５の正面図である。（もう一つの内部基板カード５がバックカバー３内に在る。）Ａで示される図面の詳細な部分に見られるように、この部品は細い穴があけられており、それにより完成されたアルバム内から取り出すことのできる用紙を保持する紐が、前記グナセケラ特許により分かるように、カバーの細い穴をも通るようになっている。
【００１１】
図３は、内部基板カードの詳細な寸法図である。（前述したような細い穴はない。）ポケット６は写真に安全な材料（例えば、紙）からなる下部層７から形成されている。他方、上部層８は典型的には透明（単に、半透明であってもよい）で、しかし、そうでなければ、例えばポリエチレンまたはポリエステルのような写真に無害な材料である。上部層８は最終的にアルバムの外側に露出するので、ポケット６中にある写真又はその他の物を見せると共に保護する能力を失うことなく、例えば、太陽光に曝されるような条件（薄れ、黄ばみ、皺、及び、光への露出、及び／又は高い気温等により引き起こされる他の不利益に関連して）に耐えることの出来る材料でなければならない。二つの層７，８は接着域９の３辺で、（他のタイプの接着剤を使用することができるけれども）ＵＶで回復する接着剤を含む、熱による層形成のようなもの、または別の接着剤を使用することにより、融合されているか、または接着されている。４番目の辺は開いており、写真その他の展示物を出し入れできる。好ましくは、取り外し可能な裏地を有する接着剤を写真ポケット６の裏側に貼り付けることにより、ポケット６は内部基板カード５に接着されているか、そうでなければ、永久に取り付けられる。裏地は除去され、写真ポケットが基板カードに貼り付けられる。どのように取り付けられるかは関係なく、窓と整合されなければならない。そうすることにより、アルバムのフロントカバー全体が組み立てられると、ポケット６の内容物はフロントカバー１の窓２を通して見ることができる。このステップはアルバムの残りを組み立てる過程に組み込まれるか、又は事前組み立てユニットの在庫が供給されるように別々に行うこともできる。
【００１２】
図８は、本発明の範囲はここに記載された寸法に限定されないが、好ましい実施形態の寸法を含んだ組み立てられたフロントカバーを図示している。バックカバーはフロントカバーと同じであるが、窓はなく、ここに図示していない。しかし組み立てられたアルバムの一部であることを理解すべきである。フロントカバーの好ましい構成部品及び構成は図８のＡの詳細図に示されている。窓枠１０１は、好ましくは、しかし必須ではないが、亜鉛合金で製造されている。窓枠取り付け基板１０２は好ましくは、しかし必須ではないがステンレス鋼で製造されており、図１の窓２を形成するために窓枠１０１に取り付けられる。それから、内部基板カード５、ポケット６、下部カードボード１０６、スポンジ又はフォームボード１０７、上部カードボード１０８（これは応用により必要である場合も、必要でない場合もある）、及び外部カバー材料１０９が図示されている。これらの材料の構成は本発明の範囲にとって重要ではない。そして、このタイプのアルバムカバーの製造分野の当業者により理解される事項である。
【００１３】
図４は、スポンジ又はフォームボード１０７、上部カードボード１０８等の構成部品の詳細図であり、それぞれがパンチ又は通常の方法で開けられた穴を有していることを図示しており、窓２及びその他の構成部品を収納する必要な大きさと場所を有している。カバーのその他の構成部品に形成された穴と一致するように外部カバー部材１０９に一つまたはそれ以上の適切なセットの切断又は切り抜きがなされている。外部カバー部材１０９は、通常の技術を使用して窓２の周囲に沿って、フォームボード１０７、（もし使用されるのであれば）上部カードボード１０８等に層状に貼り付けられるか、又は接着されている。
【００１４】
図８に戻り、窓枠２は窓枠１０１及び窓枠取り付け基板１０２により組み立てられている。これらはそれぞれ図９及び図１０により詳細に示されている。断面において、それぞれの部品はＬ形状をしており、それにより窓枠取り付け基板１０２は窓開口部に下側から挿入され、窓枠１０１は、そのＬ形状は下部部品の形状に関して逆になっているが、窓開口部に上側から挿入され、双方の部品はお互いに結合している。このことにより、窓枠１０１の外側に面した部分が窓枠取り付け基板１０２の露出した端部をカバーすることを可能にしている。したがって、アルバムの正面の外側から見るような通常の使用においては、たとえアルバムを斜めから見たとしても継ぎ目は全く見えない。
【００１５】
窓枠１０１及び窓枠取り付け基板１０２は、前記の通り、継ぎ目又はその他の構成上の特徴を露出しないような何らかの便利な方法で結合している。二つの部品を結合する好ましい技術は、窓枠１０１の下方の向かう脚部のいくつか又は全てに形成された一つ又はそれ以上の歯１１０を使用している。好ましい実施形態では下側に向けられた４つの脚部のそれぞれに２本の歯が形成されている。しかし、脚部毎の歯の数及びそのような歯を有する脚部の数は、好みの問題であって、本発明の範囲を限定するものではない。更に、好ましい歯はお互いに別々のものであり、通常は窓枠１０１のコーナーに向かって位置している。(即ち、隣接した下方に向かう脚部１１１同士が会う所の近くに位置している。)しかし、これらも又好みの問題であり、本発明の必須の事項ではない。例えば、下方に向かう脚部１１１の多くの部分又は全部に亘って伸びている長い畝は本発明の範囲に含まれる。同様に、大きさ及び形状が同等のものであるか、又は望むのであれば同等のものでない二つの歯が各コーナーの近くに設けられる。
【００１６】
係合する構造部材１２０が窓枠取り付け部材１０２の上方に向かう脚部に設けられている。その部材は窓枠１０１の歯部１１０とスナップ嵌合できるような大きさと位置になっている。好ましい実施形態においては、上方に向かう４つの脚部１２１のそれぞれに二つの開口部がある。しかし、脚部毎の開口部又はその他のスナップ構造部材（畝又は溝の様なもの）の数及びそのような構造部材の有する脚部の数はお互いに適合する二つの枠部材１０１及び１０２の必要性によって決められる。更に、好ましい開口部は独立しており、お互いに分離しており、これもまた、一般に窓枠取り付け基板１０２のコーナーに向かって位置する。しかし、前記したようにこれらは好みの問題であり、本発明の必須事項ではない。例えば、上方に向かう脚部１２１の多くの部分又は全部に亘って伸びている長い穴又は畝は本発明の範囲に含まれる。歯部１１０及び開口部１２０の大きさ、数、形状等は作成の容易さ、最終製品の完成度、及び同様な製品デザインへの配慮のバランス取るように選択される。他方、その他の全ては本発明の範囲に含まれる。
【００１７】
図１１―１３はそれぞれ図８―１０と同様である。お互いに対応する構成要素には同様の番号が付されており、窓の形が矩形の代わりにハート形となっている代わりの実施形態が図示されている。この実施形態はまた、歯部１１０及び係合する構造部材１２０といった枠の構成部品の側面全体に亘る部材と対峙する別体のタブを有している。別体のタブの使用はハート形の実施形態に限られるものではない。そして、図８―１０の矩形の実施形態で採用することができる。又は、異なる形状のフレームを有する発明のその他の実施形態において採用することができる。この一連の図は窓枠が一般的に直線に対峙するよう曲げられている。このようにして、具体的に図示されていないが、楕円形、円形、四角形、三角形、花形、及びその他の形状が本発明の範囲に含まれる。
【００１８】
外部のカバー部材１０９はフロントカバーの４辺の外側に集めることができる。そして、紐で縛るかその場所に接着するような通常の技術を使用して、フロントカバーの見ることのできる外部の下部に接着されている。基板５が突出している側にカバー部材１０９が下部カードボード１０６の底側に接着されている。そのことにより、基板５の穴の部分はフロントカバーから外側に突出している。挿入物へのアクセス又は写真の取り出しが基板カード５の他（上側）の面で、しかし、外部カバー部材１０９のした側及び下部カードボード１０６の底側で可能である。（これは他のところで述べたように背部４が挿入される位置であり、したがって、背部４はポケット６の入り口の上にある。）その他の３辺では、外部カバー部材１０９は下部カードボード１０６の底側に接着できる。そして、選択的に（しかし好ましくは）、外部カバー部材１０９端部はフロントカバー全体の見ることが出来る内側としての役割をする適切な裏部材（示されていない）により覆われている。その裏部材は、すくなくともその周囲において、外部カバー材料及び／又は下部カードボード１０６の底面に接着されている。
【００１９】
図５―７は背部の構成部品図である。図５は背部の正面図及び背面図である。背部は従来の方法により接着されている基礎となる背部部材５０（フレキシブルなカードストックのようなもの）と、及び背部装丁用クロス５１（これは典型的にフロント及びバックカバーに使用される外部カバー部材と同じ材料である）とを具備している。図６及び図７は好ましい実施形態における部材の寸法を示している。しかし、その他の形状を有する背部も本発明の他の実施形態において可能である。
【図面の簡単な説明】
【００２０】
【図１】図示を容易にするため、開かれて、且つ平らに置かれた本発明の好ましい実施形態の正面図
【図２Ａ】図１の好ましい実施形態の一つの部品の正面図
【図２Ｂ】図２Ａの図示されたところの詳細図
【図３】図１の好ましい実施形態のいくつかの部品の正面図
【図４Ａ】図１の好ましい実施形態の構成部品の正面図
【図４Ｂ】図１の好ましい実施形態の構成部品の底面図
【図４Ｃ】図４Ｂの図示されたところの詳細図
【図５】図１の好ましい実施形態の構成部品の正面図及び裏面図
【図６】図１の好ましい実施形態の部品の正面図
【図７】図１の好ましい実施形態の部品の正面図
【図８Ａ】図１のフロントカバーの正面図
【図８Ｂ】図８Ａの８Ｂ−８Ｂ線に沿った断面図
【図８Ｃ】図８Ｂの図示されたところの詳細断面図
【図９Ａ】図８の窓枠部品の側面図
【図９Ｂ】図８の窓枠部品の正面図
【図９Ｃ】図９Ｂの９Ｃ−９Ｃ線に沿った断面図
【図９Ｄ】図９Ｃの図示されたところの詳細断面図
【図１０Ａ】図８の取り付けコーナー部品の平面図
【図１０Ｂ】図８の取り付けコーナー部品の側面図
【図１０Ｃ】図８の取り付けコーナー部品の正面図
【図１１Ａ】図１のフロントカバー構成部品の代替実施形態の正面図
【図１１Ｂ】図１１Ａの１１Ｂ−１１Ｂ線に沿った断面図
【図１１Ｃ】図１１Ｂの図示されたところの詳細断面図
【図１２Ａ】図１１の窓枠構成部品の正面図
【図１２Ｂ】図１１の窓枠構成部品の側面図
【図１２Ｃ】図１２Ａの１２Ｃ−１２Ｃ線に沿った断面図
【図１３Ａ】図１１の取り付けコーナー部品の平面図
【図１３Ｂ】図１１の取り付けコーナー部品の側面図
【図１３Ｃ】図１３Ａの図示されたところの詳細図
【符号の説明】
【００２１】
１フロントカバー
２窓枠
３バックカバー
４背部
５内部基板カード
６ポケット
７下部層
８上部層
９接着部位
１０カバー
５０基板背部材料
５１背景幕
１０１外側に面した窓枠
１０２窓枠取り付け基板
１０６下部カードボード
１０７スポンジ又はフォームボード
１０８上部カードボード
１０９外部カバー部材
１１０歯
１１１下方に向かう脚部
１２０係合する構造部材
１２１上方に向かう脚部
【図１】
2007529346.tif 000003
【図２Ａ】
2007529346.tif 000004
【図２Ｂ】
2007529346.tif 000005
【図３】
2007529346.tif 000006
【図４Ａ】
2007529346.tif 000007
【図４Ｂ】
2007529346.tif 000008
【図４Ｃ】
2007529346.tif 000009
【図５】
2007529346.tif 000010
【図６】
2007529346.tif 000011
【図７】
2007529346.tif 000012
【図８Ａ】
2007529346.tif 000013
【図８Ｂ】
2007529346.tif 000014
【図８Ｃ】
2007529346.tif 000015
【図９Ａ】
2007529346.tif 000016
【図９Ｂ】
2007529346.tif 000017
【図９Ｃ】
2007529346.tif 000018
【図９Ｄ】
2007529346.tif 000019
【図１０Ａ】
2007529346.tif 000020
【図１０Ｂ】
2007529346.tif 000021
【図１０Ｃ】
2007529346.tif 000022
【図１１Ａ】
2007529346.tif 000023
【図１１Ｂ】
2007529346.tif 000024
【図１１Ｃ】
2007529346.tif 000025
【図１２Ａ】
2007529346.tif 000026
【図１２Ｂ】
2007529346.tif 000027
【図１２Ｃ】
2007529346.tif 000028
【図１３Ａ】
2007529346.tif 000029
【図１３Ｂ】
2007529346.tif 000030
【図１３Ｃ】
2007529346.tif 000031
【手続補正書】
【提出日】平成18年7月19日(2006.7.19)
【手続補正１】
【補正対象書類名】明細書
【補正対象項目名】０００４
【補正方法】変更
【補正の内容】
【０００４】
特に、本発明は、少なくとも一つのカバーを有し、そのカバーには少なくとも一つの窓開口部が形成されており、その窓が、カバーの内側から窓開口部に挿入されていて、断面がＬ形状の窓枠取り付け基板により形成されている、写真用のアルバムに関するものである。そのアルバムは、更に窓枠取り付け基板とは断面が逆のＬ形状の窓枠カバーを有するアルバムに関するものである。その窓枠カバーはカバーの外側から開口部に挿入されており、窓枠取り付け基板と係合しており、そのことにより窓枠の外部に面した部分が窓枠取り付け基板の露出した端部を覆っている。このようにして、アルバムをカバーの外側から見るような通常の使用においては、たとえ斜めから見たとしても、継ぎ目が全く見えない。
【手続補正２】
【補正対象書類名】明細書
【補正対象項目名】０００５
【補正方法】変更
【補正の内容】
【０００５】
図面の簡単な説明
添付した図面は特定の実施例を示すものであり、本発明の範囲を限定するものではない。図面は発明の構成部品の寸法比の指標に過ぎず、構成部品が相互にどのように関連しているか、またはある場合にはどのように嵌合しているかを示すものである。
【手続補正３】
【補正対象書類名】明細書
【補正対象項目名】００１１
【補正方法】変更
【補正の内容】
【００１１】
図３は、内部基板カードの詳細図である。（前述したように細い穴はない。）ポケット６は写真に安全な材料（例えば、紙）からなる下部層７から形成されている。他方、上部層８は典型的には透明（単に、半透明であってもよい）で、しかし、そうでなければ、例えばポリエチレンまたはポリエステルのような写真に無害な材料である。上部層８は最終的にアルバムの外側に露出するので、ポケット６中にある写真又はその他の物を見せると共に保護する能力を失うことなく、例えば、太陽光に曝されるような条件（薄れ、黄ばみ、皺、及び、光への露出、及び／又は高い気温等により引き起こされる他の不利益に関連して）に耐えることの出来る材料でなければならない。二つの層７，８は接着域９の３辺で、（他のタイプの接着剤を使用することができるけれども）UVで回復する接着剤を含む、熱による層形成のようなもの、または別の接着剤を使用することにより、融合されているか、または接着されている。４番目の辺は開いており、写真その他の展示物を出し入れできる。好ましくは、取り外し可能な裏地を有する接着剤を写真ポケット６の裏側に貼り付けることにより、ポケット６は内部基板カード５に接着されているか、そうでなければ、永久に取り付けられる。裏地は除去され、写真ポケットが基板カードに貼り付けられる。どのように取り付けられるかは関係なく、窓と整合されなければならない。そうすることにより、アルバムのフロントカバー全体が組み立てられると、ポケット６の内容物はフロントカバー１の窓２を通して見ることができる。このステップはアルバムの残りを組み立てる過程に組み込まれるか、又は事前組み立てユニットの在庫が供給されるように別々に行うこともできる。
【手続補正４】
【補正対象書類名】明細書
【補正対象項目名】００１２
【補正方法】変更
【補正の内容】
【００１２】
図８は、好ましい実施形態の組み立てられたフロントカバーを図示している。バックカバーはフロントカバーと同じであるが、窓はなく、ここに図示していない。しかし組み立てられたアルバムの一部であることを理解すべきである。フロントカバーの好ましい構成部品及び構成は図８のAの詳細図に示されている。窓枠１０１は、好ましくは、しかし必須ではないが、亜鉛合金で製造されている。窓枠取り付け基板１０２は好ましくは、しかし必須ではないがステンレス鋼で製造されており、図１の窓２を形成するために窓枠１０１に取り付けられる。それから、内部基板カード５、ポケット６、下部カードボード１０６、スポンジ又はフォームボード１０７、上部カードボード１０８（これは応用により必要である場合も、必要でない場合もある）、及び外部カバー材料１０９が図示されている。これらの材料の構成は本発明の範囲にとって重要ではない。そして、このタイプのアルバムカバーの製造分野の当業者により理解される事項である。
【手続補正５】
【補正対象書類名】明細書
【補正対象項目名】００１４
【補正方法】変更
【補正の内容】
【００１４】
図８に戻り、窓枠２は窓枠１０１及び窓枠取り付け基板１０２により組み立てられている。これらはそれぞれ図９及び図１０により詳細に示されている。断面において、それぞれの部品はL形状をしており、それにより窓枠取り付け基板１０２は窓開口部に下側から挿入され、窓枠１０１は、そのL形状は下部部品の形状に関して逆になっているが、窓開口部に上側から挿入され、双方の部品はお互いに結合している。このことにより、窓枠１０１の外側に面した部分が窓枠取り付け基板１０２の露出した端部を覆うことを可能にしている。したがって、アルバムの正面の外側から見るような通常の使用においては、たとえアルバムを斜めから見たとしても継ぎ目は全く見えない。
【手続補正６】
【補正対象書類名】明細書
【補正対象項目名】００１８
【補正方法】変更
【補正の内容】
【００１８】
外部のカバー部材１０９はフロントカバーの４辺の外側に集めることができる。そして、紐で縛るかその場所に接着するような通常の技術を使用して、フロントカバーの見ることのできる外部の下部に接着されている。基板５が突出している側にカバー部材１０９が下部カードボード１０６の底側に接着されている。そのことにより、基板５の穴の部分はフロントカバーから外側に突出している。挿入物へのアクセス又は写真の取り出しが基板カード５の他（上側）の面で、しかし、外部カバー部材１０９のした側及び下部カードボード１０６の底側で可能である。（これは他のところで述べたように背部４が挿入される位置であり、したがって、背部４はポケット６の入り口の上にある。）その他の３辺では、外部カバー部材１０９は下部カードボード１０６の底側に接着できる。そして、選択的に（しかし好ましくは）、外部カバー部材１０９端部はフロントカバー全体の見ることが出来る内側としての役割をする適切な裏部材（示されていない）が張られている。その裏部材は、少なくともその周囲において、外部カバー材料及び／又は下部カードボード１０６の底面に接着されている。
【手続補正７】
【補正対象書類名】明細書
【補正対象項目名】００１９
【補正方法】変更
【補正の内容】
【００１９】
図５-７は背部の構成部品図である。図５は背部の正面図及び背面図である。背部は従来の方法により接着されている基礎となる背部部材５０（フレキシブルなカードストックのようなもの）と、及び背部装丁用クロス５１（これは典型的にフロント及びバックカバーに使用される外部カバー部材と同じ材料である）とを具備している。図６及び図７は好ましい実施形態におけるこれらの部材を示している。しかし、その他の形状を有する背部も本発明の他の実施形態において可能である。
【国際調査報告】
2007529346.tif 000032